(57)【要約】    【課題】  軸の長手方向に対するノックボタンの位置は具体的には特定されておらず、それ故に、ノックボタンの位置如何によっては、筆記の際、誤ってノックボタンを押圧してしまい、芯が引っ込んでしまうと言った問題がある。    【解決手段】  軸筒の中間部にノック部材が設けられた出没式筆記具において、前記ノック部材を軸筒の円周上に亘って囲繞するよう設けると共に、そのノック部材を軸筒の把持部と、把持部した状態における親指と人差し指とで形成される前記軸筒との指間当接部との間に設けた出没式筆記具。【選択図】  図１
2008265210.tif 000002
【特許請求の範囲】
【請求項１】
軸筒の中間部にノック部材が設けられた出没式筆記具において、前記ノック部材を軸筒の円周上に亘って囲繞するよう設けると共に、そのノック部材を軸筒の把持部と、把持した状態における親指と人差し指とで形成される前記軸筒との指間当接部との間に設けたことを特徴とする出没式筆記具。
【請求項２】
ノック部材の形状を筒状となすと共に、その筒状を側面視でストレート状、或いは、両端部に傾斜面を有する太鼓状、或いは、曲線の大径部を有する流線形状となしたことを特徴とする請求項１記載の出没式筆記具。
【請求項３】
前記軸筒の外径とノック部材の外径を異ならしめたことを特徴とする請求項１、或いは、請求項２に記載の出没式筆記具。
【発明の詳細な説明】
【技術分野】
【０００１】
本発明は、軸筒の中間部にノック部材が設けられた出没式筆記具に関する。
【背景技術】
【０００２】
１例として、特開２００６−７６２７４号公報があり、その実用新案登録請求の範囲には、「軸をグリップ位置後部で前後に分断し、軸と中心線を共有する中軸を軸の中に設け、前軸と中軸の間に滑動可能なすきまばめ的に配置した伝達ピン穴を有し、軸と中心線を共有する円筒形の部品を伝達子としその後部に調整用の座金を介して伝達子に接する状態で同様に配置した円筒形部であって非ノック時はしんチャックの行程より少し長く軸の外部に出ている後部に軸外径と同じ外径の円筒形部を有し、軸外径と同じ外径の底面と中軸外径と同じ外径の上底を持つ円錐台を前記の円筒形部に底面が接合する向きにして一体化し軸と中心線を共有し滑動可能なすきまばめ的に配置した部品を従動子とし、非ノック時は軸と中心線を共有し、軸と内外径とも同じでノックに適した長さの円筒形の部品の前端部を従動子の円錐台部側面に接触させ配置してノックボタンとし、従動子と同形状で前後を反転させた円錐台部側面にノックボタンの後端部を接触させ、円錐台部と軸外径と同じ外径の円筒形部は中軸にしまりばめ的に固定し、軸内径と同じ外径の円筒形部は後軸と中軸の間にしまりばめ的に固定し固定子とし、中軸に、伝達ピン穴に伝達ピンを装入時に伝達ピンが滑動可能なスリットをしんチャックの行程に支障のない長さにあけ、中軸内に伝達ピン穴を有し軸と中心線を共有する円筒形部と円錐台形の空間を持つ部分が一体となり中心部にしんの通り穴を設け滑動可能なすきまばめ的に配置した部品を中軸内伝達子とし伝達ピンで伝達子と結合しノック機構を構成しているノック機構を有するサイドノック式シャ−プペンシル。」と記載されている。
【特許文献１】特開２００６−７６２７４号公報。
【発明の開示】
【発明が解決しようとする課題】
【０００３】
しかし、上記従来技術にあっては、「軸と中心線を共有し、軸と内外径とも同じでノックに適した長さの円筒形の部品の前端部を従動子の円錐台部側面に接触させ配置してノックボタンとし」と、記載されており、軸の長手方向に対するノックボタンの位置は具体的には特定されておらず、それ故に、ノックボタンの位置如何によっては、筆記の際、誤ってノックボタンを押圧してしまい、芯が引っ込んでしまうと言った問題がある。
【課題を解決するための手段】
【０００４】
本発明は、上記問題点を鑑みてなされたものであり、軸筒の中間部にノック部材が設けられた出没式筆記具において、前記ノック部材を軸筒の円周上に亘って囲繞するよう設けると共に、そのノック部材を軸筒の把持部と、把持した状態における親指と人差し指とで形成される前記軸筒との指間当接部との間に設けたことを要旨とする。
【発明の効果】
【０００５】
本発明は、軸筒の中間部にノック部材が設けられた出没式筆記具において、前記ノック部材を軸筒の円周上に亘って囲繞するよう設けると共に、そのノック部材を軸筒の把持部と、把持した状態における親指と人差し指とで形成される前記軸筒との指間当接部との間に設けているので、軸筒の全周方向からノック部材を押圧することができ、これにより軸筒の全周方向から芯の繰り出し操作を行うことができるにもかかわらず、筆記の際には、誤ってノック部材を押圧してしまうことがない。
【発明を実施するための最良の形態】
【０００６】
図１〜図９で示し説明する。軸本体の長手方向の略中央部には、ノック部材１が配置されているが、そのノック部材１は前記軸本体の円周上に亘って囲繞するよう設けられていると共に、そのノック部材１は、軸本体の把持部２と、その把時部２を把持した状態における親指と人差し指とで形成される前記軸本体との指間当接部３との間に設けられている。
ノック操作や筆記のし易さから先金４の長さと親指の把持部２との接触面や大人や子供の手の大きさを考慮し、ペン先４ａから約２５ミリの位置に前記把持部２の中間部が位置するよう形成するのが好ましい。また、前記指間当接部３は、ペン先４ａから６５ミリ程度の位置となるよう形成するのが好ましい。即ち、前記ペン先４ａから６５ミリの間にノック部材１が配置されている（図２参照）。尚、比較的、把時部２の後方を把持する使用差にあっては、指間当接部３の位置がペン先４ａから８５ミリ程度になるが、この場合においても、ノック部材１は、把持部２と指間当接部３との間に位置される。
【０００７】
軸本体は、後軸９と前軸１０とから構成されており、その前軸１０の外周部、即ち、筆記の際に握る部分となる把時部２にはゴム状弾性体からなるグリップ１１が円周上の全域に渡って設けられ嵌着しているが、液状ゴムやウレタン樹脂などを部分的に塗布し固化したり、半球状の樹脂球を前軸１０の表面に接着固定したりしても良く、或いは、前軸１０の外周に微細なローレット状の凹凸を形成しその前軸１０自体を握る部分、つまり、グリップ１１としても良い。そのグリップ１１を嵌着、或いは、前軸１０自体をグリップ部とすることにより、筆記時の疲れや痛みを緩和させる効果がある。
【０００８】
前記前軸１０の内部には、チャック体１２などを進退させる摺動台１３が設けられており外周に段１３ａを設けている。その摺動台１３の後方には１本以上（本例においては、対向した位置に設置された２本）から成る棒状のピン部１４が一体形成されているが、各々を別部材で構成し互いを固定しても良い。そのピン部１４は、前記前軸１０の中間仕切り壁１０ａに形成されている貫通孔１５を摺動自在に貫通し、その前軸１０に対して上下動が可能なものとなっている。
また、前記後軸９と前軸１０との連結部分間には、軸線を中心に円周上に亘る前記ノック部材１が介在しているが、そのノック部材１は前記仕切り壁１０ａの後方に延設された軸連結筒部１６を囲繞した状態で配置されている。そのノック部材１の内周径は後端に向かって拡がっている。その内周径の最小径に値する小径部１７の下側には弾性体からなる弾性リング１８が前記軸連結筒部１６とノック部材１の間にリング状となって嵌入しており、ノック部材１を操作する際の支点となる。
そのノック部材１を操作する際の支点となる弾性リング１８は、ノック部材１と一体成形しても良いが、操作時の前軸１０とノック部材１との擦れ合い強度を考慮すると、各々を別部材で構成し弾性体である弾性リング１８を設けた方が好ましい。
一方、ノック部材１の内径部は、前記小径部１７から後方に向けて円錐状に拡径しており、ノック部材１の後端部で最大内径となる大径部１９となっている。
前記ノック部材１の下側には、そのノック部材１の大径部１９に係合する傾斜した円錐面２０ａが全周に亘って形成された円錐部２０が後軸９に形成されており、ノック部材１の後方を軸中心方向に押し込むことでノック部材１の大径部１９に係合する傾斜した円錐面２０ａをノック部材１が下方に向けて移動する。このノック部材１の下方への移動によって、その動作が前軸１０の軸連結筒部１６に対して上下摺動可能な貫通穴２１を形成している摺動駒２２とそれに接する摺動台１３の前記ピン部１４に伝達され、これによって摺動台１３も下方に向けて移動するのである。このとき、ノック部材１の大径部１９と円錐部２０の円錐面２０ａは擦れ合いによる摺動抵抗が発生するが、その摺動抵抗を減らすため前記大径部１９は曲面形状となっている。勿論、何れの方向からもノック部材１の操作が可能であるため、前記曲面形状は大径部１９の全周に亘って形成されている。
【０００９】
後軸９と前軸１０からなる軸本体の内部には、その軸本体に対して上下動可能な芯筒２３が配置されており、その芯筒２３の前方には受け板２４が固定されている。また、前記芯筒２３は、摺動台１３を貫通していると共に、その摺動台１３の前端部には前記受け板２４の後端部が接触している。その受け板２４の前方にはチャックリング２５を被嵌した２つ割りや３つ割りの前記チャック体１２が固定されている。そのチャック体１２は芯の把持・解放を行うものであり、チャックリング２５はチャック体１２の開閉を行うものである。チャック体１２としての作動は従来技術と同様であり、チャック体１２を摺動台１３により後部から押圧すると、芯を把持したチャック体１２が前進し芯が繰り出され、次いで、チャック体１２が拡開し芯を開放する。ここで押圧操作を解除すると、チャック体１２は芯を開放した状態で後退・復帰するが、やがて再び芯を把持する。尚、前記芯筒２３には、少なくとも２本以上の芯が蓄えられるものである。また、芯筒２３は設けなくとも芯の蓄えは可能である。
また、前記前軸１０の前方には、締筒２６が連結部２７で凹凸嵌合により着脱不能に連結・固定されている。その締筒２６の前方には先金４が螺着などの手段によって着脱自在に固定されており、その先金４の内部には、ゴム状弾性体からなる芯戻り止め部材２８が圧入・固定されている。尚、符号２９は前記チャック体１２や芯筒２３などを後方に向けて付勢するコイルスプリングなどの弾撥部材である。
【００１０】
前記後軸９と前軸１０の連結は、前軸１０の中間仕切り壁１０ａから後部に向けて延設形成された軸連結筒部１６が後軸９の内側に形成された貫通孔部３０に嵌まり込むことによってなされているが、前記後軸９と前軸１０の軸連結部３１で凹凸嵌合されることによって着脱不能に連結・固定される。
勿論、ノック部材１と、後軸９並びに前軸１０との間には隙間１ａ、が設けられており、ノック部材１の非操作時における、そのノック部材１と円錐部２０との接触による押圧動作を防止している。つまり、筆記時における押圧動作を防止することによって芯の引っ込み動作を防止するようになっている。ただし、この隙間１ａは芯の引っ込み動作を防止するものであるためノック部材１より前方のチャック体１２までのノック作動を伝達する部品間に設けることで解消できる。
また、そのノック部材１の外周には、円筒状にゴム状弾性体などからなるクッション３２が嵌着しているが、前記グリップ１１と同様に、液状ゴムやウレタン樹脂などを部分的に塗布し固化したり、半球状の樹脂球をノック部材１の表面に接着固定したりしても良く、あるいは、ノック部材１の外周に凹凸を形成しそのノック部材１自体で滑り止め効果を得ても良い。
尚、前記ゴム状弾性体からなるクッション３２を嵌着、或いは、外周に微細なローレット状の凹凸を形成したノック部材１により、指先や指の腹部で操作する際にグリップ力が向上すると共に、円周上の何れの箇所においてもノック部材１の操作が容易なものとなる。また、ゴム状弾性体で形成した場合には、指先や指の腹部での押圧による軸本体に掛かる負担が軽くなる。
また、後軸９の後部には、消しゴム３３とその消しゴム３３を覆うようにキャップ３４が着脱自在に取り付けられている。そのキャップ３４の側面にはクリップ３５が一体形成されているが、後軸９の後方に一体形成しても良い。
【００１１】
次に作用について説明する。ノック部材１を円周上のいずれから軸本体の軸線に対して押し込むことでチャック体１２などの筆記体を前進させ、芯の繰り出しを行うものである。以下、その操作方法について具体的に説明する（図９参照）。前記ノック部材１を図８に示す状態から軸本体の軸線に対して中心方向に押し込むと、ノック部材１は弾撥部材２９の弾発作用により、ノック部材１と軸連結筒部１６との間に配置している弾性リング１８を支点とし、ノック部材１が揺動する。このとき、ノック部材１の大径部１９の当接周縁部は、円錐部２０の円錐面２０ａを擦り上がり軸連結筒部１６に近接する。そのノック部材１は円錐部を擦り上がる移動と相まって前進（下降）する。このとき、摺動駒２２は前軸１０の軸連結筒部１６を上下摺動可能に貫通、案内されているため、前軸１０の軸連結筒部１６に対して前進（下降）する。このとき摺動台１３のピン部１４も前軸１０に対して上下摺動可能に貫通し案内されているため、前軸１０に対して前進（下降）する。その摺動台１３の前進に伴い、その摺動台１３に固定されている芯筒２３や受け板２４、その受け板２４に固定されたチャック体１２も前進する。そして、チャック体１２の前進に伴い、芯が前進し繰り出されるが、やがて、チャック体１２が拡開し芯が開放させる。このとき、弾撥部材２９は受け板２４が前進した分圧縮されることになる（図９参照）。
【００１２】
ここで、ノック部材１の押圧操作を解除すると弾撥部材２９の復元作用により、摺動駒２２が後方に向けて移動すると共にノック部材１も後退し、そのノック部材１は大径部１９の当接周縁部が円錐部２０の斜面により案内され基の状態へと復帰する。これらの移動、並びに、復帰動作と相まって、前記弾撥部材２９、受け板２４、チャック体１２、チャックリング２５、並びに、摺動台１３が元の位置へと復帰し、この際、芯は再びチャック体１２に把持される。
【００１３】
次に、前記ノック部材の変形例を種々挙げ説明する。図１０は、ノック部材１の第１変形例であり、筆記具を筆記状態で握っている際、親指や人差し指でノック部材１の後方を押圧しやすい形状である。そのノック部材１は後方押圧部５で指先に掛かるようにノック部材１の後方が前方よりも大きく、側面視で曲線の流線型状の大径部（後方押圧部５）が形成されている。指先でノック部材１の後方を押圧する場合に有効であるため、押圧時に指間当接部３が背もたれ的に支える形となり、押圧部を親指の腹の位置などに合わせることで、軽くノックすることができる。
図１１は、ノック部材１の第２変形例であり、筆記具を筆記状態で握っている際、親指や人差し指でノック部材１の前方を押圧しやすい形状である。そのノック部材１は前方押圧部６で指先に掛かるようにノック部材１の前方が後方よりも大きく、側面視で曲線の流線型の大径部（前方押圧部６）が形成されている。指先で前方を押圧する場合に有効であるため、押圧時にグリップ１１を把持している人差し指と中指が背もたれ的に支える形となり、押圧部を親指の指先の位置に合わせることで、軽くノックすることができる。
図１２は、ノック部材１の第３変形例であり、筆記具を筆記状態で握っている際、ノック部材１を親指や人差し指でノック部材１の前方、或いは、後方へ押圧しやすい形状である。そのノック部材１は筆記具前方、或いは、後方で指先に掛かるようにノック部材１の中心が大きな、側面視で曲線の流線型の大径部（中心押圧部７）によって形成されている。指先で前方、または、後方へ押圧する場合に有効であり、グリップ１１を指で把持する位置により、ノック部材１の中心７の大きな流線型の部分を利用した押圧する面の使い分けを可能としている。つまり、把持部２の前方を把持している場合には、中心押圧部７より前方の斜面に指先を当てて押圧し、把持部２の後方を把持している場合には、中心押圧部７より後方の斜面に指先や指の腹を当てて押圧することができるので、グリップ１１の把持する位置に幅を持たせることができる。
【００１４】
また、前記図１０〜図１２のノック部材１の種々の形状は、把持部２とは異なる外形で構成されているため、ノック部材１を指先で触れる感触により、その位置を認識し、筆記中に筆記面から目を離すことなく、容易にノック部材１を押圧することができる。また、図１３で示す第４変形例のような二つの面の繋ぎ部８が指先に触れるような形状は、面の繋ぎ部８が角形状となるため、指先でどの位置に指先が添えられているか容易に判別することができ、特に、効果的である。具体的に説明すると、ノック部材１の中央には側面視でストレート状の筒状部１ｂが形成されており、その筒状部１ｂの前端、並びに、後端には前方、後方の各々の方向に向かって縮径する前方円錐部１ｃ、並びに、後方円錐部１ｄが形成されている。そして、それら筒状部と円錐部との連結部分が前記繋ぎ部８となっている。そして、前記把持部２とノック部材１の外形が互いに筒状の形状であっても、その把持部２とノック部材１の外径に大小差を設けることで、それら把時部２とノック部材１との間に段差が生じ上記で説明した認識効果を得ることができる。
【００１５】
尚、前記実施例で説明した芯筒２３の後部に従来技術同様にノックボタン３６を設け、前記全周からのノック部材１との両方を兼ね備えたものとしても良い（図１４参照）。言うまでもないが、前記ノックボタン３６を押圧することで受け板２４に固定された芯筒２３が前進し、その芯筒２３の前進に伴ってチャック体１２も前進し、芯が繰り出される。
【００１６】
次に、本発明の出没式筆記具を油性や水性のボールペンに適用させた例を図１５に示し、具体的に説明する。ノック部材１を円周上のいずれから軸本体の軸線に対して押し込むことでペン先のカム３７などの筆記体を前進させ、ペン先の繰り出しを行うものである。前記ノック部材１を図１１に示す状態から軸本体の軸線に対して中心方向に押し込むと、ノック部材１は弾撥部３８とノック弾撥部３９の弾発作用により、ノック部材１と軸連結筒部１６との間に配置している弾性リング１８を支点とし、ノック部材１が揺動する。このとき、ノック部材１の大径部１９の当接周縁部は、円錐部２０の円錐面２０ａを擦り上がり軸連結筒部１６に近接する。そのノック部材１の移動と相まって、摺動駒２２は前軸１０の軸連結筒部１６を上下摺動可能に貫通、案内されているため、前記摺動駒２２は前軸１０の軸連結筒部１６に対して前進（下降）する。このとき摺動台１３のピン部１４も前軸１０に対して上下摺動可能に貫通し案内されているため、前軸１０に対して前進（下降）する。その摺動台１３の前進に伴い、筆記体が出没する。
このように、ボールペンのノック部材１を軸筒の把持部２と、把持した状態における親指と人差し指とで形成される指間当接部３との間に設けることで、筆記の際に、誤ってノック部材１を押圧することなく、ペン先の引っ込みを防止することができる。
【図面の簡単な説明】
【００１７】
【図１】本発明の１例を握った状態を示す外観図。
【図２】図１を前方の握りで示した外観図。
【図３】図１を後方の握りで示した外観図。
【図４】本発明の縦断面図。
【図５】図４の横断面図。
【図６】図４の要部拡大図。
【図７】（ａ）軸連結筒部とグリップの組み立て外観図。  （ｂ）軸連結筒部とグリップの組み立て縦断面図。
【図８】摺動台の外観図。
【図９】動作を示す縦断面図。
【図１０】ノック部材の第１変形例を示す外観図。
【図１１】ノック部材の第２変形例を示す外観図。
【図１２】ノック部材の第３変形例を示す外観図。
【図１３】ノック部材の第４変形例を示す外観図。
【図１４】本発明の変形例を示す縦断面図。
【図１５】本発明をボールペンに適用した場合の縦断側面図。
【符号の説明】
【００１８】
１    ノック部材
１ａ    隙間
２    把持部
３    指間当接部
４    先金
５    後方押圧部
６    前方押圧部
７    中心押圧部
８    繋ぎ部
９    後軸
１０    前軸
１１    グリップ
１２    チャック体
１３    摺動台
１３ａ    段
１４    ピン部
１５    貫通孔
１６    軸連結筒部
１７    小径部
１８    弾性リング
１９    大径部
２０    円錐部
２０ａ    円錐面
２１    貫通穴
２２    摺動駒
２３    芯筒
２４    受け板
２５    チャックリング
２６    締筒
２７    連結部
２８    芯戻り止め部材
２９    弾撥部材
３０    貫通孔部
３１    軸連結部
３２    クッション
３３    消しゴム
３４    キャップ
３５    クリップ
３６    ノックボタン
３７    カム
３８    弾撥部
３９    ノック弾撥部
【図１】
2008265210.tif 000003
【図２】
2008265210.tif 000004
【図３】
2008265210.tif 000005
【図４】
2008265210.tif 000006
【図５】
2008265210.tif 000007
【図６】
2008265210.tif 000008
【図７】
2008265210.tif 000009
【図８】
2008265210.tif 000010
【図９】
2008265210.tif 000011
【図１０】
2008265210.tif 000012
【図１１】
2008265210.tif 000013
【図１２】
2008265210.tif 000014
【図１３】
2008265210.tif 000015
【図１４】
2008265210.tif 000016
【図１５】
2008265210.tif 000017